(57)【要約】  発光体の関連長さより短い幅を有するデータ媒体をデジタル化するときに、発光体からのフレアを低減するために中心軸（図３）の周りに回転するように構成されたマスクを有する発光体（１０１）を有するデジタイザー。デジタイザーのページ幅ガイドは、ページ幅ガイドの動きによって自動的にマスクを所定量回転するように作動可能に結合されてもよい。希ガス、外部電極、冷陰極蛍光ランプもデジタイザーにおいて発光体として利用されてもよい。
2005510968.tif 000002
【特許請求の範囲】
【請求項１】
データ媒体において像をデジタル化するデジタイザーであって：
デジタル化される前記媒体へ向かう光を生成するように構成された発光体と；
中心軸の周りに回転するように構成されたマスクであって、該マスクの一部が、ベース回転位置からの前記マスクの回転量に依存して前記発光体の関連する部分からの前記光の一部に影響を与えるマスクと；を備えたデジタイザー。
【請求項２】
前記マスクは前記発光体に固定され、前記発光体は回転するように構成されている請求項１に記載のデジタイザー。
【請求項３】
前記マスクは内部キャビティを画定し、前記発光体は前記内部キャビティ内に配置されている請求項１に記載のデジタイザー。
【請求項４】
前記ベース回転位置から回転するマスクの量がデジタル化される前記データ媒体の幅に基づいている請求項１に記載のデジタイザー。
【請求項５】
前記マスクに機械的に結合されたページ幅ガイドをさらに備え、前記ページ幅ガイドの動きによって前記マスクが関連する回転位置まで回転される請求項４に記載のデジタイザー。
【請求項６】
前記ページ幅ガイドが前記データ媒体の第１の幅に関連する第１のガイド位置と、前記データ媒体の第２の幅に関連する第２のガイド位置とを有し、かつ、前記第２の幅は前記第１の幅より小さく、かつ、前記マスクが前記第１の位置にあるときに前記光の第１の有効位置が前記データ媒体の前記第１の幅に実質的に等しくなるように、前記マスクは前記第１のガイド位置に関連する第１の位置から前記ページ幅ガイドの関連する動きに際しての前記第２のガイド位置に関連する第２の位置まで回転し、かつ、前記マスクが前記第２の位置にあるときに前記光の第２の有効位置が前記データ媒体の前記第２の幅に実質的に等しい請求項５に記載のデジタイザー。
【請求項７】
前記マスクによって影響されていない前記発光体からの前記光の残りが前記光の有効部であり、前記有効部はデジタル化される前記データ媒体の幅に実質的に等しい請求項１に記載のデジタイザー。
【請求項８】
前記マスクの前記部分は、前記発光体の前記関連部分から前記光の前記部分を実質的にブロックする請求項１に記載のデジタイザー。
【請求項９】
前記マスクに機械的に結合されたページ幅ガイドをさらに備え、前記ページ幅ガイドの動きによって前記マスクが関連する回転位置まで回転される請求項１に記載のデジタイザー。
【請求項１０】
前記発光体が、希ガス、外部電極、冷陰極蛍光ランプを備える請求項１に記載のデジタイザー。
【請求項１１】
前記データ媒体が透明データ媒体であり、前記発光体が前記透明データ媒体を照明するように構成された透明発光体である請求項１０に記載のデジタイザー。
【請求項１２】
前記の希ガス、外部電極、冷陰極蛍光ランプは約0.2秒より短いウォームアップ時間を有する請求項１０に記載のデジタイザー。
【請求項１３】
データ媒体をデジタル化中に発光体からのフレアを低減する方法であって：
前記データ媒体へ向かう光を生成する段階と；
中心軸の周りにマスクをベース回転位置から所定量回転する段階であって、前記マスクの一部が、前記ベース回転位置からの前記の所定の回転量に依存して前記発光体の関連する部分からの前記光の一部に影響を与える段階と、を備えた方法。
【請求項１４】
前記マスクの前記一部が、前記発光体の前記関連する部分からの前記光の前記一部を実質的にブロックする請求項１３に記載の方法。
【請求項１５】
前記マスクによってブロックされていない前記発光体の前記光の残りの部分が前記光の有効部であり、前記有効部がデジタル化される前記データ媒体の前記幅に実質的に等しい請求項１４に記載の方法。
【請求項１６】
ページ幅ガイドを前記データ媒体の幅に関連する位置に配置する段階であって、前記ページ幅ガイドの前記位置が前記ベース回転位置からの前記の所定回転量を決定する段階をさらに備えた請求項１３に記載の方法。
【請求項１７】
医療用途における透明データ媒体をデジタル化するデジタイザーであって：
デジタル化される前記透明データ媒体へ向かう光を生成するように構成された発光体と；
中心軸周りに回転するように構成されたマスクであって、該マスクの一部が、ベース回転位置からの前記マスクの回転量に依存して前記発光体の関連する部分からの前記光の一部に影響を与えるマスクと；
前記光を方向付けるように構成されたレンズと；
前記レンズからの方向付けられた前記光を前記データ媒体に記録されたデータを表すアナログ信号に変換するように構成された感光要素であって、前記データ媒体の最大幅に実質的に等しい幅を有する感光要素と；
前記感光要素に結合された電子処理回路であって、前記アナログ信号を前記データ媒体に記録されたデータを表すデジタル信号に変換するように構成された電子処理回路と；を備えたデジタイザー。
【請求項１８】
前記感光要素が電荷結合素子アレイを備えた請求項１７に記載のデジタイザー。
【請求項１９】
前記レンズは自己収束レンズアレイを備えた請求項１７に記載のデジタイザー。
【請求項２０】
前記自己収束レンズアレイが、前記感光要素の前記幅に実質的に等しい幅を有する請求項１８に記載のデジタイザー。
【請求項２１】
前記発光体が、希ガス、外部電極、冷陰極蛍光ランプである請求項１７に記載のデジタイザー。
【請求項２２】
前記透明データ媒体がＸ線フィルムを備える請求項１７に記載のデジタイザー。
【請求項２３】
医療用途における透明データ媒体をデジタル化するデジタイザーであって：
デジタル化される前記透明データ媒体へ向かう光を生成するように構成された発光体と；
中心軸周りに回転するように構成されたマスクであって、該マスクの一部が、ベース回転位置からの前記マスクの回転量に依存して前記発光体の関連する部分からの前記光の一部に影響を与えるマスクと；
前記レンズからの方向付けられた前記光を前記データ媒体に記録されたデータを表すアナログ信号に変換するように構成された感光要素と；
前記感光要素に結合された電子処理回路であって、前記アナログ信号を少なくとも１６ビットを有するデジタル信号に変換するように構成されたアナログデジタル変換器を備えた電子処理回路と；を備えたデジタイザー。
【請求項２４】
データ媒体において像をデジタル化するデジタイザーであって：
デジタル化される前記データ媒体へ向かう光を生成するように構成された発光体と；
マスクと；
前記マスクに機械的に結合されたページ幅ガイドであって、前記ページ幅ガイドの動きによって前記マスクの関連した動きを生じるページ幅ガイドと；を備えたデジタイザー。
【発明の詳細な説明】
【技術分野】
【０００１】
本発明はデジタイザーに関し、特に、迷光の影響を低減するマスクを有するデジタイザーに関するものである。
【背景技術】
【０００２】
本発明は２００１年１１月２６日に出願された米国仮出願番号６０／３３３，３３３号に基づいて優先権を主張するものである。
【０００３】
デジタイザーは、データ媒体における像の光密度をデータ媒体に記録された像を示すデジタル信号に変換するものである。このようなデジタイザーは概して、発光体及び感光要素（エレメント）を含む。発光体はデータ媒体に向かう光を供給する。感光要素は、記録された像の種々の部分の種々の光密度に基づくフォトンをデータ媒体上に蓄積するものである。感光要素はこのような蓄積したフォトンを関連（対応）するアナログ電荷に変換する。電気処理回路はこのようなアナログ信号を受けて、これを対応するデジタル信号に変換する。デジタル信号は他の電子データと同様の種々の手法で格納され、読み出され、伝達され、及び処理されてもよい。
【発明の開示】
【発明が解決しようとする課題】
【０００４】
このようなデジタイザーにおける感光要素は通常、固定した視野（ＦＯＶ）を有する。発光体の結合した長さより狭い幅を有するデータ媒体からデータを読むとき、過剰な発光は望ましくないフレアを生じるデータ媒体のエッジを越えて生じる。このフレアは感光要素のパフォーマンス、さらにはデジタル化処理全体の質に悪影響を及ぼす。デジタル化されるデータ媒体の幅に基づいて発光体の外縁をマスクするためのいくつかのマスキング機構が開発されている。しかしながら、これらの方法は発光体と感光要素との間でマスクを線形的に輸送し、複雑なマスク輸送システムを要求する。さらに、データ媒体の幅に基づいてマスクを自動的に位置づけるために簡単で効率的な方法はない。従って、マスクが中心軸について回転する、フレアを低減するための簡単で高価でないマスキング機構が必要である。
【課題を解決するための手段】
【０００５】
本発明によるデータ媒体をデジタル化するデジタイザーは：デジタル化されるデータ媒体へ向かう光を生成するように構成された発光体と；中心軸の周りに回転するように構成されたマスクであって、マスクの一部がベース回転位置からのマスクの回転量に依存する発光体の関連部分からの光の一部に影響を与えるマスクと；を含む。
【０００６】
本発明の他の態様では、データ媒体のデジタル化中の発光体からフレアを低減する方法であって：データ媒体へ向かう光を生成する段階と；マスクを中心軸の周りにベース回転位置から所定量回転させる段階であって、マスクがベース回転位置からの所定回転量に依存して発光体の関連部分からの光の一部に影響を与える段階と；を含む。
【０００７】
本発明のさらに他の態様では、医療用途において透明データ媒体をデジタル化するデジタイザーは：デジタル化される透明データ媒体へ向かう光を生成するように構成された発光体と；中心軸の周りに回転するように構成されたマスクであって、マスクの一部がベース回転位置からのマスクの回転量に依存する発光体の関連部分からの光の一部に影響を与えるマスクと；レンズから向かう光をデータ媒体に記録されるデータを表すアナログ信号に変換するように構成された感光要素であって、データ媒体の最大幅に実質的に等しい幅を有する感光要素と；感光要素に結合された電子処理回路であって、アナログ信号がデータ媒体に記録されたデータを表すデジタル信号に変換するように構成された電子処理回路と；を含む。
【０００８】
本発明の他の態様では、医療用途において透明データ媒体をデジタル化するデジタイザーは：デジタル化される透明データ媒体へ向かう光を生成するように構成された発光体と；中心軸の周りに回転するように構成されたマスクであって、マスクの一部がベース回転位置からのマスクの回転量に依存する発光体の関連部分からの光の一部に影響を与えるマスクと；レンズから向かう光ビームをデータ媒体に記録されるデータを表すアナログ信号に変換するように構成された感光要素と；感光要素に結合された電子処理回路であって、アナログ信号から少なくとも１６ビットを有するデジタル信号に構成された電子処理回路と；を含む。
【０００９】
本発明の他の態様では、データ媒体上で像をデジタル化するデジタイザーが：デジタル化されるデータ媒体へ向かう光を生成するように構成された発光体と；マスクと；マスクに機械的に結合されたページ幅ガイドであって、ページ幅ガイドの移動に起因してマスクが移動するところのページ幅ガイドと；を含む。
【発明を実施するための最良の形態】
【００１０】
本発明の利点は、添付図面を参照して実施形態の詳細な説明から明らかになるだろう。
【００１１】
図１は、本発明によるデジタイザー１００の概略ブロック図である。デジタイザー１００は通常、発光体１０１と，レンズ１０４と，感光要素１０６と，アナログデジタル変換器（コンバータ）１０８とプロセッサ１１２とを含む電子処理回路１１４とを含む。一般には、デジタイザー１００は、データ媒体１０２上の像の光密度を、光の種々の強度、及び、従って応用可能媒体上のデータ密度を表す電子信号に変換する。
【００１２】
データ媒体１０２はまず、デジタル化される位置１０２’に配置される。デジタイザー１００は、データ媒体１０２を受容し、それを走査される位置１０２’へドライブする輸送制御システム（図示せず）を含んでもよい。また、デジタイザー１００は、ユーザーが位置１０２’にデータ媒体１０２を配置するフラットベッド型スキャナーであってもよく、発光体１０１及び感光要素１０６は、位置１０２’にあるときにデータ媒体１０２に対して移動する。
【００１３】
データ媒体１０２は、例えば透明媒体や反射媒体等いかなるタイプの媒体であってもよい。例えば、透明媒体は、医療用途で用いるＸ線フィルムを含んでもよい。デジタイザー１００は、発光体１０１が対物面の上方に位置するので、透明媒体をテジタル化するデジタイザーとして図示されている。しかしながら、発光体が対物面の下方に位置する反射媒体をテジタル化するデジタイザーを用いてもよい。
【００１４】
一旦、データ媒体１０２を適切に配置すると、発光体１０１からの光はデータ媒体１０２を通過する。データ媒体１０２を通過する光の量は、各画素でのデータ媒体１０２における特別の像の透過率又は光密度に依存する。レンズ１０４は光を感光要素１０６へ向けるのに用いてもよい。
【００１５】
感光要素１０６はフォトンを蓄積し、このフォトンを蓄積されたフォトンを表すアナログ電気信号に変換する。感光要素１０６は、電荷結合素子（ＣＣＤ）アレイ又はＣＭＯＳアレイのような従来公知の種々の要素であってもよい。感光要素１０６は、データ媒体１０２全体が仮想的に複数の領域に分割され、全ての領域が領域を透過する光の量を表すアナログ信号に対応するように、ライン状、矩形状、正方形等の種々の形状であってよい。このように、データ媒体１０２に記録された像全体を表すアナログ像信号が得られてもよい。
【００１６】
次いで、アナログ像が電子処理回路１１４によって処理される。電子処理回路１１４は、アナログ信号をデジタル信号に変換するアナログデジタル変換器１０８とプロセッサ１１２を含む公知の種々の装置を含んでもよい。こうして、デジタル像信号を、例えば電子ストレージ、処理及び通信のような電子的使用のために、ターミナル１１６に出力されてもよい。
【００１７】
図２Ａ及び図２Ｂに、本発明によるマスクの第１の実施形態を図示する。一般に、マスク２０９は、デジタル化されるデータ媒体は発光体の長さより短い幅を有するときにデータ媒体のエッジに生じるフレアを低減する。このような例では、外部発光体は感光要素１０６のパフォーマンス、さらにはデジタル化処理の品質全体に悪影響を及ばし得る。マスクの種々の部分によって影響された光の量は、ベース回転位置に対する中心軸２２０についてのマスクの回転位置に依存する。
【００１８】
図２Ａは、発光体２０１の長さＬ４より短い幅Ｗ１を有するデジタル化されるデータ媒体２０２ａを示す。この実施形態では、マスク２０９は発光体２０１に固定され、発光体２０１は回転するように構成された。マスク２０９は、発光体からの光ビームの強度に影響を与える従来公知の種々の材料であってもよい。マスク２０９は、使用される特別のマスキング材料の透過特性に依存する発光体２０１からの光ビームの強度に影響を与える。一の実施形態では、マスク２０９は、マスクがデータ媒体へ向かう光の一部を実質的にブロックするように低い透過特性を有する。この実施形態では、マスク２０９は、暗いテープのような不透明材料、ペイント、又は、熱収縮可能管（チュービング）のようなプラスチック材料であってもよい。
【００１９】
マスク２０９は、部分的に発光体２０１の長さＬ４及び発光体の断面積の半径依存するパターンにおいて発光体２０１上に配置する。データ媒体２０２ａはデジタル化されるので、マスク２０９は、発光体の点Ａは図２Ａに図示されるように上方を向くようにベース回転位置から所定量回転する。このように、マスク２０９の部分２０９ａ、２０９ｂは、データ媒体２０２ａを指向する光の強度を低減する。マスクのこれらの部分２０９ａ，２０９ｂによって影響されない発光体からの光の残り、又は、発光体からの光の有効幅Ｌ１は、デジタル化されるデータ媒体２０２ａの幅Ｗ１に実質的に等しく作られるのが好都合であってもよい。
【００２０】
例えば、図２Ａにおける発光体２０１は、マスク２０９の一部２０９ａ、２０９ｂが発光体の外側エッジ長Ｌ５及びＬ６に沿った発光体２０１からの光ビームの強度を低減するように、所定の位置へ回転する。このように、発光体からの光の有効幅Ｌ１は、デジタル化されるデータ媒体２０２ａの幅に実質的に等しい。マスク２０９は、ベース回転位置からのマスクの幅10度毎の回転によって、データ媒体へ指向する発光体の光の有効幅が発光体の長さの1/36に等しい増分で調整されるように、発光体上に配置されてもよい。
【００２１】
図２Ｂでは、データ媒体２０２ｂは図２Ａのデータ媒体２０２ａの幅より狭い幅Ｗ２を有する。このように、マスク２０９はさらに、発光体２０１を回転することによって回転する。これによって、より大きな部分２０９ａ’、２０９ｂ’を発光体の外側エッジ長Ｌ７及びＬ８に沿ってフィルム２０２ｂへ指向する光にさらすことになる。このように、発光体からの光の有効幅Ｌ２はフィルム２０２ｂの幅Ｗ２に実質的に等しい。
【００２２】
中心軸２２０周りのマスク２０９の回転は、種々の手段を用いることによって実施されてもよい。一の実施形態では、ページ幅ガイド２１６は、ギアトレインのような種々の手段によって発光体２０１へ機械的に結合されているのが好都合である。ユーザーはフィルムの幅に合致するようにページ幅ガイド２１６を動かすと、マスク２０９はマスクが光源の外側エッジでの適量の光に影響を及ぼすように関連量を自動的に回転する。
【００２３】
代替として、当業者に公知の独立したセンサはすべてのデータ媒体の幅を決定するように用いられてもよく、発光体２０１を適当な制御手段を用いて中心軸２２０周りに関連した適切な位置まで回転するように指令してもよい。
【００２４】
図３には、マスクの他の実施形態であって、マスク３０９が中心軸３２０の周りに回転するように構成され、発光体３０１が回転マスク３０９に対して静止しているものを図示する。マスク３０９は内部キャビティ３１１を形成する円筒型を有してもよい。発光体３０１はこのキャビティ３１１内に配備され、マスク３０９の中心軸３２０に一致する中心軸を有してもよい。マスク３０９は、マスキング材料３１９が固定されるクリア位置３１７を有する中空クリア管から構成されてもよい。マスキング材料３１９は、ダーク（暗い）テープ、ペイント、プラスチック材料のような実質的に不透明な材料であってもよく、これによって、マスキング材料３１９はデータ媒体を指向する光の一部を実質的にブロックする。このように、マスキング材料３１９の透過特性は、マスク３０９のクリア位置３１７の透過特性より低い。
【００２５】
先述の実施形態と同様に、マスク３０９は、マスクの一部がデータ媒体３０２に向かう発光体３０１からの光に影響を与えるように中心軸３２０の周りに回転するように構成されている。例えば、マスク３０９は、マスキング材料３１９の一部３０９ａ，３０９ｂが発光体の外側エッジ長Ｌ１０及びＬ１１に沿っての発光体３０１からの光の強度を低減するように所定位置まで回転してもよい。このように、発光体からの光ビームの有効幅Ｌ３は実質的に、デジタル化されるデータ媒体３０２の幅Ｗ３に等しい。
【００２６】
他の実施形態を用いると、ページ幅ガイド３１６が、フィルムの幅に合致するようにページ幅ガイド２１６が動くように、ギアトレイン３１８のような種々の手段によってマスク３０９へ機械的に結合されているのが好都合であるので、マスク３０９はマスクが光源の外側エッジで適当な光量に影響を与えるように関連量を自動的に回転する。
【００２７】
本発明の他の実施形態では、発光体１０１は希ガス、外部電極、冷陰極蛍光ランプであってもよい。この希ガスの例としては、ネオン、キセノン及びクリプトンが含まれるが、これらには限定されない。典型的には、発光体又は従来のデジタイザーはＬＥＤ、従来の蛍光ランプ、冷陰極蛍光ランプ、タングステン若しくはキセノンランプを用いてきた。対照的に、希ガス、外部電極、冷陰極蛍光ランプは、これらの従来のランプの所望の特性のほとんどに組合わさる。
【００２８】
すなわち、希ガス、外部電極、冷陰極蛍光ランプは、約0.2秒、典型的には約0.1秒より短い迅速なウォームアップ時間を有し、従って、タングステン及びＬＥＤと同様な発光体上でインスタントとして十分に機能する。これは優れた安定性を示す。これは高い明るさ（ブライトネス）を有し、約25ワットの中程度の電力入力を必要とする。希ガス、外部電極、冷陰極蛍光ランプはまた、広範囲の常温を越えて一貫した光出力特性を示す。ランプはまた、従来の蛍光ランプと同様の拡散光源である。ランプは、透明データ媒体を照明するデジタイザーにおける透明発光体として作用してもよい。ランプは、反射データ媒体を照明するデジタイザーにおける反射発光体として作用してもよい。
【００２９】
本発明の他の実施形態では、感光要素１０６は、デジタル化されるいかなるデータ媒体の全幅を広げる直線型小型光センサ群、すなわち全幅アレイを有してもよい。従って、アレイ画素サイズは対象画素サイズと同じである。画素サイズが大きいほど、より多い電子は各画素サイトに固定することができる。全幅アレイの結果として、デジタイザー１００は高感度及びダイナミックレンジの両方を有する。高感度によって、データ媒体１０２の露光時間を低減でき、これによって、より迅速なデジタル化処理が可能となる。
【００３０】
また、全幅アレイ比（１：１）でのイメージングを、レンズ１０４として自己収束レンズアレイ（セルフォック・レンズ・アレイ又はＳＬＡ）を用いて実施してもよい。セルフォックは、日本板硝子株式会社の商標である。ＳＬＡはコンパクトでありかつ効率的である。典型的には、特に１：１イメージング用に設計されており、従来レンズを用いて実現可能なものより高いスループットで容易に得られてもよい。ＳＬＡは、直径約1mmの多重インライン光学的品質ガラスロッドから成ってもよい。各ロッド自体は、1×イメージ（像）を生成してもよいレンズである。ロッドからの像は比較的滑らかに（スムーズに）照明された連続ナロー（狭い）ライン像、例えば、14″対約0.2″のナローライン像を生成するように重なってもよい。比較すると、従来レンズはより大きな二次元像を生成する。このような大きな二次元像はナローライン像だけを得るときは不必要である。
【００３１】
また、対物から像までの距離は約15mmの短い距離なので、ＳＬＡはデジタイザー１００のサイズの縮小を可能とする。また、このような距離は、経済的に実現可能と同じ長さであってもよい。通常これらのレンズは50mmの範囲で最大の共役を有する。ＳＬＡを用いて実現可能な短い対物から像までの距離によって、デジタイザー１００がミラーの使用を回避できる。さもなければ、このようなミラーは、像の経路を許容可能なボリュームにたたみ込むために用いられる。また、このようなミラーの不必要は、各ミラー面に関連する放射線損失を回避することによって、コストを下げ、及び、像の品質及びスループットの両方を増大する。
【００３２】
本発明による他の実施形態では、電子処理回路１１４は、log（ログ）増幅器を必要なくなるように変形してもよい。このようなlog増幅器は、入力アナログ信号を増幅するために、それによって、大きな密度範囲にわたっての測光解像度を維持することによってイメージングの品質を維持するために利用されてきた。
【００３３】
電子処理回路１１４は、測光解像度を犠牲にすることなく、好都合にlog増幅器の除去を可能にする適度に高い分解能を有するＡ／Ｄコンバータを含んでもよい。例えば、一の実施形態では、Ａ／Ｄコンバータ１０８は、入力アナログ信号をデジタル化するために16ビットＡ／Ｄコンバータであってもよく、約3.6密度（デンシティ）まで下がった測光解像度を提供するものでもよい。log増幅器は関連する中断（混乱）を被ることなく適正な増幅バンド幅を有する必要はないので、log増幅器の除去によってコストが下がり、デジタル化速度を改善する。一のこのような中断は、log増幅器が利用されるときは、明らかな光学的変調の減少である。他の中断はノイズの付加である。増幅器の除去によって、増幅器に関連するノイズを除去する。また、増幅器を用いないことの他の利点は、log較正に対する較正時間が必要ないので、較正が低減されることである。
【００３４】
しかしながら、ここに記載した実施形態は、本発明を利用する実施形態のいくつがであり、これに制限されるものではない。当業者に明らかな多くの他の実施形態が、特許請求の範囲で確定される本発明の精神及び範囲を逸脱すること作ることができることは明らかである。
【図面の簡単な説明】
【００３５】
【図１】本発明によるデジタイザーの概略ブロック図である。
【図２Ａ】本発明のマスクの一実施形態の斜視図であって、マスクが発光体に固定されたところを示すものである。
【図２Ｂ】本発明のマスクの一実施形態の斜視図であって、マスクが発光体に固定されたところを示すものである。
【図３】発光体がマスクによって形成されたキャビティ内に配備された本発明によるマスクの他の実施形態の斜視図である。
【符号の説明】
【００３６】
１００  デジタイザー
１０１，２０１  発光体
１０２，２０２ａ  データ媒体
１０４  レンズ
１０６  感光要素
１０８  アナログデジタル変換器
１１２  プロセッサ
１１４  電子処理回路
２０２ｂ  フィルム
２０９，３０９  マスク
２０９ａ、２０９ｂ  マスクの一部（部分）
２２０，３２０  中心軸
３１１  キャビティ
３１６  ページ幅ガイド
３１７  クリア位置
３１９  マスキング材料
【図１】
2005510968.tif 000003
【図２Ａ】
2005510968.tif 000004
【図２Ｂ】
2005510968.tif 000005
【図３】
2005510968.tif 000006
【国際調査報告】
2005510968.tif 000007